(57)【要約】【課題】壁面の所望の位置に配線器具を設置し、または、壁面の所望の位置からケーブルを引出す作業において、モルタル材の埋め戻し量を少なくしてコストを低減し、また、配線作業を楽に行なう。【解決手段】壁裏に設置される配線用ボックス１１と、前記配線用ボックス１１の前面開口を閉塞すべく該配線用ボックス１１に取付けられる閉塞板３１と、配線器具取付枠５１とを備え、前記閉塞板３１は、壁面５に設置される配線器具の位置に対応する所望の範囲を部分的に除去することにより、前記配線用ボックス１１の内部と連通する透孔を形成するとともに、前記透孔を介して前記配線器具取付枠５１を取付けることによって前記配線用ボックス１１の内部に収容される前記配線器具を固定すべく形成した。【選択図】    図２１
2005045893.tif 000002
【特許請求の範囲】
【請求項１】
壁裏に設置される配線用ボックスと、
前記配線用ボックスの前面開口を閉塞すべく該配線用ボックスに取付けられる閉塞板とを備え、
前記閉塞板は、壁面に設置される配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべくまたは前記ケーブルの引出しを可能とすべく形成されたことを特徴とする配線装置。
【請求項２】
前記閉塞板は、所望の範囲を除去するための複数の除去溝が形成されたことを特徴とする請求項１に記載の配線装置。
【請求項３】
前記除去溝は、上下及び左右に格子状に形成されたことを特徴とする請求項２に記載の配線装置。
【請求項４】
前記閉塞板の前面に、仕上材が入り込んで硬化することにより、前記閉塞板の変形を防止する変形防止溝が形成されたことを特徴とする請求項１乃至請求項３のいずれか１項に記載の配線装置。
【請求項５】
前記変形防止溝は、前記除去溝で形成されたことを特徴とする請求項４に記載の配線装置。
【請求項６】
前記閉塞板に形成される透孔に取付けられ、配線器具を固定するための固定部を有する配線器具取付枠を備えたことを特徴とする請求項１乃至請求項５のいずれか１項に記載の配線装置。
【請求項７】
前記配線器具取付枠は、仕上代に対応する塗代部を有することを特徴とする請求項６に記載の配線装置。
【請求項８】
前記配線用ボックスの内周面と前記閉塞板の前面と前記配線器具取付枠の外周面との間に、埋め戻し材が充填される充填空間部が形成されることを特徴とする請求項６または請求項７に記載の配線装置。
【請求項９】
前記配線器具取付枠は、前記閉塞板に形成される透孔と嵌合する嵌合片及び嵌合爪を備えて該透孔に取付けられることを特徴とする請求項６乃至請求項８のいずれか１項に記載の配線装置。
【請求項１０】
前記閉塞板は、形成すべき透孔と対応する形状の枠状部を有する透孔形成部材を前記除去溝に嵌入した状態で、該透孔形成部材の内側に対応する部分を叩打することにより、所望の範囲を部分的に除去して前記透孔が設けられることを特徴とする請求項２乃至請求項９のいずれか１項に記載の配線装置。
【請求項１１】
前記透孔形成部材は、前記配線器具取付枠に形成されたことを特徴とする請求項１０に記載の配線装置。
【請求項１２】
壁裏に設置される配線用ボックスの前面開口を閉塞すべく該配線用ボックスに取付けられる閉塞板であって、
壁面に設置される配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべくまたは前記ケーブルの引出しを可能とすべく形成されたことを特徴とする閉塞板。
【請求項１３】
所望の範囲を除去するための複数の除去溝が形成されたことを特徴とする請求項１２に記載の閉塞板。
【請求項１４】
前記除去溝は、上下及び左右に格子状に形成されたことを特徴とする請求項１３に記載の閉塞板。
【請求項１５】
前面に、仕上材が入り込んで硬化することにより、自身の変形を防止する変形防止溝が形成されたことを特徴とする請求項１２乃至請求項１４のいずれか１項に記載の閉塞板。
【請求項１６】
前記変形防止溝は、前記除去溝で形成されたことを特徴とする請求項１５に記載の閉塞板。
【請求項１７】
前記透孔は、配線器具を固定するための固定部を有する配線器具取付枠が取着可能に形成されたことを特徴とする請求項１２乃至請求項１６のいずれか１項に記載の閉塞板。
【請求項１８】
前記配線器具取付枠は、仕上代に対応する塗代部を有することを特徴とする請求項１７に記載の閉塞板。
【請求項１９】
前記透孔は、前記配線器具取付枠に設けられた嵌合片及び嵌合爪と嵌合可能に形成されたことを特徴とする請求項１７または請求項１８に記載の閉塞板。
【請求項２０】
前記透孔は、形成すべき透孔と対応する形状の枠状部を有する透孔形成部材を除去溝に嵌入した状態で、該透孔形成部材の内側に対応する部分を叩打することにより、所望の範囲を部分的に除去して設けられることを特徴とする請求項１３乃至請求項１９のいずれか１項に記載の閉塞板。
【請求項２１】
壁裏に設置される配線用ボックスの前面開口を閉塞する閉塞板に取付けられ、配線器具を固定するための固定部を有する配線器具取付枠であって、
前記閉塞板は、壁面に設置される前記配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべくまたは前記ケーブルの引出しを可能とすべく形成されていることを特徴とする配線器具取付枠。
【請求項２２】
仕上代に対応する塗代部を有することを特徴とする請求項２１に記載の配線器具取付枠。
【請求項２３】
前記閉塞板に形成される透孔と嵌合する嵌合片及び嵌合爪を備えて該透孔に取付けられることを特徴とする請求項２１または請求項２２に記載の配線器具取付枠。
【請求項２４】
前記閉塞板に形成される透孔と対応する形状の枠状部を有する透孔形成部を備え、
前記透孔形成部は、これを前記閉塞板の除去溝に嵌入した状態で、該透孔形成部の内側に対応する部分を叩打することにより、前記閉塞板における所望の範囲を部分的に除去して前記透孔を設けるべく形成されたことを特徴とする請求項２１乃至請求項２３のいずれか１項に記載の配線器具取付枠。
【請求項２５】
壁裏に設置される配線用ボックスの前面に型枠を形成してコンクリートを打設し、前記型枠を除去した後、前記配線用ボックスの前面に設けられる閉塞板において壁面に設置される配線器具の位置またはケーブルの引出し位置に対応する所望の範囲を決定し、次いで、前記所望の範囲を部分的に除去することによって前記閉塞板に前記配線用ボックスの内部と連通する透孔を形成し、次に、前記透孔を介して前記配線用ボックスの内部に前記配線器具を収容して固定し、または、前記ケーブルを引出すことを特徴とする配線方法。
【発明の詳細な説明】
【０００１】
【発明の属する技術分野】
本発明は、宅地の門、住宅の玄関、トイレ、浴室等におけるタイル貼り壁面等の壁面に各種スイッチ、コンセント、インターホン等の配線器具を設置する配線装置、閉塞板、配線器具取付枠及び配線方法に関するもので、特に、前記壁面におけるタイルの目地に合致する位置などの所望の位置に配線器具を設置し、または、前記所望の位置からケーブルを引出す配線装置、閉塞板、配線器具取付枠及び配線方法に関するものである。
【０００２】
【従来の技術】
従来より、住宅の門、玄関、トイレ、浴室等におけるタイル貼りの壁面に各種スイッチ等の配線器具を設置するために、配線用ボックスをコンクリートに埋設した後、この配線用ボックスの前面開口から内部に配線器具を収容し、取付けている。しかし、コンクリート打設後に配線用ボックスの取付位置を移動調整することはできないため、タイル目地に対してずれた位置に配線器具を設置してしまい、外観を損ねることがあった。
【０００３】
そこで、コンクリート打設後に配線用ボックスの位置を移動調整できる技術が実公昭５９−２９０７１号公報に開示されている。
図３５及び図３６において、配線装置８１は内部に配線器具が収容可能な配線用ボックス８２より大きい容積を有し、合成樹脂で直方体状に形成され、コンクリート打設用の型枠面に当接して仮止される仮枠本体８３と、この仮枠本体８３に貫通保持され、コンクリートを打設して脱型後に残置される撓曲自在な棒状支持部材８４と、前記仮枠本体８３の外側面を覆い、凝固後のコンクリートスラブ面に露呈されるラス金網８５とを備えている。
【０００４】
このような構成の配線装置８１によって配線用ボックス８２を設置するには、まず、型枠８６の所定位置に前記仮枠本体８３を仮止めし、その際、棒状支持部材８４を前記仮枠本体８３に貫挿保持させ、また、前記仮枠本体８３の外側面をラス金網８５で覆っておく。そして、コンクリートを打設し、コンクリート材が凝固した後、前記型枠８６を取外し、前記仮枠本体８３を脱型する。すると、内部に配線用ボックス８２より大きい容積の収容空間８７が形成され、同時に、ラス金網８５が露呈し、棒状支持部材８４が前記収容空間８７内に突出された状態が形成される。そこで、前記棒状支持部材８４に取付具を介して配線用ボックス８２を取付ける。このとき、前記棒状支持部材８４の撓曲自在性を利用して、確認しながら、配線用ボックス８２の位置を左右、前後、上下方向に調整する。
【０００５】
次いで、前記仮枠本体８３の仮止め時に同時に配管、配線されていた電線管等を前記配線用ボックス８２に接続し、その後、収容空間８７内にモルタル材その他を充填することにより埋め戻しを行なう。これにより、タイル目地等に合わせた任意の位置に配線用ボックス８２を取付けることができ、配線器具を所望の位置に取付けることができる。
【０００６】
なお、収容空間のコンクリートスラブ面にラス金網８５が露呈されるから、モルタル材が前記ラス金網８５に食い込み、前記モルタル材がラス金網８５を介してコンクリートスラブと一体化され、剥離、脱落するのが防止される。
【０００７】
【特許文献１】
実公昭５９−２９０７１号公報
【０００８】
【発明が解決しようとする課題】
しかし、前記実公昭５９−２９０７１号公報に記載された配線装置８１は、仮枠本体８３により形成された収容空間８７は内部で配線用ボックス８２の移動調整を可能とする大きな容積を有するため、配線用ボックス８２を除いた収容空間８７内をモルタル材で埋め戻す作業において、大量のモルタル材を使用しなければならず、コスト高であった。また、前記収容空間８７内には配線用ボックス８２及び棒状支持部材８４が配設されているので、モルタル材の充填作業も極めて困難かつ面倒であった。
【０００９】
更に、配線用ボックス８２にケーブルを挿通する配線作業は前記収容空間８７内で行なわれるため、当該作業を行なうスペースとしては狭く、したがって、当該作業はしづらく困難であった。
【００１０】
そこで、本発明は、壁面の所望の位置に配線器具を設置し、または、壁面の所望の位置からケーブルを引出す作業において、モルタル材の埋め戻し量が少なく、コスト安であり、また、配線作業を楽に行なうことができる配線装置、閉塞板、配線器具取付枠及び配線方法の提供を課題とするものである。
【００１１】
【課題を解決するための手段】
請求項１に係る配線装置は、壁裏に設置される配線用ボックスと、前記配線用ボックスの前面開口を閉塞すべく該配線用ボックスに取付けられる閉塞板とを備え、前記閉塞板は、壁面に設置される配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべくまたは前記ケーブルの引出しを可能とすべく形成されたものである。
【００１２】
即ち、前記配線用ボックスは、壁裏に設置され、内部に各種スイッチ、コンセント、インターホン等の配線器具が収容、設置される。前記配線用ボックスの前面開口には閉塞板が取付けられ、前記閉塞板の前面にはモルタル材等の埋め戻し材が充填される。前記閉塞板は配線器具の位置に対応する所望の範囲が部分的に除去されることによって配線用ボックスの内部と連通する透孔が形成され、この透孔を介して配線器具が配線用ボックスの内部に設置されるものとなっている。ここで、前記閉塞板が部分的に除去される配線器具の位置に対応する所望の範囲とは、タイルの目地等に合致するなど外観その他の観点から定められる所定の位置において配線器具取付枠或いは配線器具の大きさに対応する範囲をいう。なお、壁面は宅地の門、住宅の玄関、トイレ、浴室等におけるタイルが貼られた壁面等であるが、タイル貼り面に限られるものではない。
【００１３】
この配線装置は壁裏の配線用ボックスにおける配線のための装置であり、壁裏の配線用ボックスの前面開口に閉塞板を取着し、この閉塞板に配線器具取付枠を取付けて配線器具を設置するものの他、壁裏において配線用ボックス内に引込まれたケーブルを前記配線用ボックスの前面開口に取着した閉塞板から壁表に引出すものも含まれる。更に、この配線装置は、上記のように、配線用ボックスの前面にモルタル材等の埋め戻し材が充填されるものの他、配線用ボックスの前面に塗代カバーを取付けてその内側開口部を除いた外部側における壁面に仕上材が塗布される場合にも適用される。ここで、前記仕上材には前記モルタル材等の埋め戻し材も含まれる。
【００１４】
前記配線装置は、配線用ボックスがコンクリートに埋設された後、その前面に取付けられる閉塞板の透孔を任意の位置に設けることによって配線器具を所望の位置に取着可能とし、または、ケーブルの引出しを可能とするものである。したがって、従来の実公昭５９−２９０７１号公報に記載された配線装置のように、仮枠本体によってコンクリート内に収容空間を形成した後に配線用ボックスの取付位置を調整するものである場合には、配線用ボックスより大きい容積の収容空間内に大量のモルタル材等の埋め戻し材を充填しなければならないのと異なって、配線用ボックスをコンクリート内に埋設した後に閉塞板の前面のみに埋め戻し材を充填すればよく、材料コストを低減することができる。また、従来は、仮枠本体をコンクリートに埋設して形成される収容空間内で配線用ボックスにケーブルを挿通させる配線作業を行なうのであるから、配線作業のスペースが小さく、作業しにくいものであったのに対し、本願の配線装置は、コンクリート打設用の型枠設置前に配線用ボックスにケーブルの配線作業を行なうものであるから、作業スペースが広く、この配線作業を楽に行なうことができる。
【００１５】
なお、閉塞板は樹脂シートで形成できるが、これに限らず、ダンボール等の厚紙、セラミックシートなどを使用することもできる。また、所望の範囲の除去は一部を薄肉形成したノックアウトによる叩打によって行なうことができ、或いは、所望の範囲の罫書き線を入れてカッターナイフ等を使用した切断によって行なうこともできる。閉塞板を部分的に除去して透孔を形成するための所望の範囲は閉塞板を壁面に取付けた後、該閉塞板の上面において移動調整しながら所望される所定位置に配線器具或いは配線器具取付枠を配置して決定することができる。
【００１６】
請求項２に係る配線装置は、請求項１に記載の閉塞板に、所望の範囲を除去するための複数の除去溝が形成されたものである。
前記閉塞板は樹脂シート等で形成され、除去溝は薄肉となっており、ノックアウトによる叩打、或いは、カッターナイフ等を使用して簡単に除去溝に沿って除去される。複数の除去溝を除去することにより、配線用ボックスの内部と連通する透孔が形成され、この透孔を介して直接配線器具或いは配線器具取付枠が配線用ボックスの内部に設置される。
【００１７】
請求項３に係る配線装置は、請求項２に記載の除去溝が、上下及び左右に格子状に形成されたものである。
配線器具取付枠は通常矩形状に形成されており、除去溝が上下及び左右に格子状に形成され、碁盤目状に配置されているので、前記配線器具取付枠における除去溝に嵌入する部分のスパンを前記除去溝相互のいずれかの間隔に合致する大きさに設定することにより、前記配線器具取付枠を閉塞板のいずれかの除去溝に適合させて取付けることができる。
【００１８】
請求項４に係る配線装置は、請求項１乃至請求項３のいずれか１項に記載の閉塞板の前面に、仕上材が入り込んで硬化することにより、前記閉塞板の変形を防止する変形防止溝が形成されたものである。変形防止溝内に入り込んだ埋め戻し材が硬化することにより、閉塞板がそるなどの変形を生ずるのが防止され、配線器具取付枠ひいては配線器具が前後方向に移動したり、傾くなどしてずれるのが防止され、外観を損ねることがない。また、配線器具が配線用ボックス内の他の部材と接触するのが防止される。
【００１９】
請求項５に係る配線装置は、請求項４に記載の変形防止溝が、除去溝で形成されたものである。したがって、別途に変形防止溝を設ける必要がない。
【００２０】
請求項６に係る配線装置は、請求項１乃至請求項５のいずれか１項に記載の配線装置が、閉塞板に形成される透孔に取付けられて配線器具を固定するための固定部を有する配線器具取付枠を備えたものである。即ち、配線器具は配線器具取付枠を介して閉塞板の透孔に取付けられ、配線用ボックスの内部に設置される。前記配線器具取付枠は上下端等にねじ取付孔を設けてこのねじ取付孔に取付ねじを取着することにより、配線器具取付枠に配線器具が取付けられる。
【００２１】
請求項７に係る配線装置は、請求項６に記載の配線器具取付枠が、仕上代に対応する塗代部を有するものである。前記配線器具取付枠は塗代部を有するので、前記配線器具取付枠の開口を除いて外部側における壁面に所定厚さの仕上材を塗布して仕上げることができる。
【００２２】
請求項８に係る配線装置は、請求項６または請求項７に記載の配線用ボックスの内周面と閉塞板の前面と配線器具取付枠の外周面との間に、埋め戻し材が充填される充填空間部が形成されるものである。したがって、従来の実公昭５９−２９０７１号公報に記載された配線装置のような、大量の埋め戻し材が必要となることがなく、コストを低減できる。
【００２３】
請求項９に係る配線装置は、請求項６乃至請求項８のいずれか１項に記載の配線器具取付枠が、閉塞板に形成される透孔の縁部に嵌合する嵌合片及び嵌合爪を備えて該透孔に取付けられるものである。ここで、前記配線器具取付枠において内側開口の一側の縁部に外向きの鈎状の嵌合片を一体に形成し、他側の縁部に反対側の外向きの鈎状の嵌合爪を一体に形成し、前記他側の鈎状の嵌合爪の先端角部にＲ状等の面取りを施すことにより、前記配線器具取付枠を前方から強制的に押圧するだけの操作で閉塞板に形成される透孔に取着することができる。
【００２４】
請求項１０に係る配線装置は、請求項２乃至請求項９のいずれか１項に記載の閉塞板が、形成すべき透孔と対応する形状の枠状体からなる透孔形成部材を前記除去溝に嵌入した状態で、該透孔形成部材の内側に対応する部分を叩打することにより、所望の範囲を部分的に除去して前記透孔が設けられるものである。叩打されることによって所望の範囲を部分的に打抜いて除去する透孔形成部材が、形成すべき透孔と対応する形状の枠状部を有することにより、前記透孔形成部材の内側に対応する部分を叩打すれば、叩打したときに枠状部の当接面で押え付けられ、この部分で閉塞板の除去溝の薄肉部分は剪断され、前記透孔形成部材の内側に対応する部分が形成すべき透孔に沿って除去される。
【００２５】
請求項１１に係る配線装置は、請求項１０に記載の透孔形成部材が、配線器具取付枠に形成されたものである。即ち、配線器具取付枠が透孔形成部材を兼ねているから、別途に透孔形成部材を用意する必要がなく、また、透孔形成部材を現場に持込むのを忘れて作業に支障をきたすことを回避できる。ここで、配線器具取付枠の透孔形成部分を透孔への取着側と反対側面に形成することができ、閉塞板に透孔を形成した後は、前記配線器具取付枠を反転して透孔に取着すればよい。
【００２６】
請求項１２に係る閉塞板は、壁裏に設置される配線用ボックスの前面開口を閉塞すべく該配線用ボックスに取付けられるものであって、壁面に設置される配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべくまたは前記ケーブルの引出しを可能とすべく形成されたものであり、請求項１の構成と対応する。
【００２７】
請求項１３に係る閉塞板は、請求項１２に記載の閉塞板に、所望の範囲を除去するための複数の除去溝が形成されたものであり、請求項２の構成と対応する。
【００２８】
請求項１４に係る閉塞板は、請求項１３に記載の除去溝が、上下及び左右に格子状に形成されたものであり、請求項３の構成と対応する。
【００２９】
請求項１５に係る閉塞板は、請求項１２乃至請求項１４のいずれか１項に記載の閉塞板の前面に、仕上材が入り込んで硬化することにより、自身の変形を防止する変形防止溝が形成されたものであり、請求項４の構成と対応する。
【００３０】
請求項１６に係る閉塞板は、請求項１５に記載の変形防止溝が、除去溝で形成されたものであり、請求項５の構成と対応する。
【００３１】
請求項１７に係る閉塞板は、請求項１２乃至請求項１６のいずれか１項に記載の透孔が、配線器具を固定するための固定部を有する配線器具取付枠が取着可能に形成されたものであり、請求項６の構成と対応する。
【００３２】
請求項１８に係る閉塞板は、請求項１７に記載の配線器具取付枠が、仕上代に対応する塗代部を有するものであり、請求項７の構成と対応する。
【００３３】
請求項１９に係る閉塞板は、請求項１７または請求項１８に記載の透孔が、前記配線器具取付枠に設けられた嵌合片及び嵌合爪と嵌合可能に形成されたものであり、請求項９の構成と対応する。
【００３４】
請求項２０に係る閉塞板は、請求項１３乃至請求項１９のいずれか１項に記載の透孔が、形成すべき透孔と対応する形状の枠状部を有する透孔形成部材を除去溝に嵌入した状態で、該透孔形成部材の内側に対応する部分を叩打することにより、所望の範囲を部分的に除去して設けられるものであり、請求項１０の構成と対応する。
【００３５】
請求項２１に係る配線器具取付枠は、壁裏に設置される配線用ボックスの前面開口を閉塞する閉塞板に取付けられ、配線器具を固定するための固定部を有するものであって、前記閉塞板が、壁面に設置される前記配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべくまたは前記ケーブルの引出しを可能とすべく形成されたものであり、請求項１及び請求項１２の構成と対応する。
【００３６】
請求項２２に係る配線器具取付枠は、請求項２１に記載の配線器具取付枠が、仕上代に対応する塗代部を有するものであり、請求項７及び請求項１８の構成と対応する。
【００３７】
請求項２３に係る配線器具取付枠は、請求項２１または請求項２２に記載配線器具取付枠が、閉塞板に形成される透孔と嵌合する嵌合片及び嵌合爪を備えて該透孔に取付けられるものであり、請求項９及び請求項１９の構成と対応する。
【００３８】
請求項２４に係る配線器具取付枠は、請求項２１乃至請求項２３のいずれか１項に記載の配線器具取付枠が、閉塞板に形成される透孔と対応する形状の枠状部を有する透孔形成部を備え、前記透孔形成部が、これを前記閉塞板の除去溝に嵌入した状態で、該透孔形成部の内側に対応する部分を叩打することにより、前記閉塞板における所望の範囲を部分的に除去して前記透孔を設けるべく形成されたものであり、請求項１０及び請求項２０の構成に対応する。
【００３９】
請求項２５に係る配線方法は、壁裏に設置される配線用ボックスの前面に型枠を形成してコンクリートを打設し、前記型枠を除去した後、前記配線用ボックスの前面に設けられる閉塞板において壁面に設置される配線器具の位置またはケーブルの引出し位置に対応する所望の範囲を決定し、次いで、前記所望の範囲を部分的に除去することによって前記閉塞板に前記配線用ボックスの内部と連通する透孔を形成し、次に、前記透孔を介して前記配線用ボックスの内部に前記配線器具を収容して固定し、または、前記ケーブルの引出すものである。
【００４０】
【発明の実施の形態】
以下、本発明の実施の形態を図１乃至図２２に基づいて説明する。
図１乃至図３において、配線装置１は宅地の門塀３の出入口４の横における壁面５にインターホン等の配線器具２を設置するものであり、内部に前記配線器具２を収容可能な配線用ボックス１１と、該配線用ボックス１１の前面開口１４に取着される閉塞板３１と、該閉塞板３１に取着される配線器具取付枠５１とを備えている。前記壁面５は矩形状のタイル６が縦横に一定配列で貼着されている。
【００４１】
前記配線用ボックス１１は前記配線器具２及びこの配線器具２を取付けるための配線器具取付枠５１と比較して十分大きい内容積を有し、前記前面開口１４において前記配線器具２及び配線器具取付枠５１が配設されるレイアウトを自由に選定して位置調整できるに足る十分な大きさに形成されている。
【００４２】
前記配線用ボックス１１は、図４に示すように、合成樹脂製のボックス本体１２と、同じく合成樹脂製の継枠１３とからなり、前記ボックス本体１２の前面開口１５の左右両縁部に一体に突設された嵌合爪１６を前記継枠１３において対向する位置に設けられた図示しない嵌合孔に嵌合させ、また、ボックス本体１２の前記前面開口１５の上下両縁部に設けられた係合溝１７に前記継枠１３において対向する位置に設けられた図示しない係合突部を係合させることによって一体化されている。配線用ボックス１１をこのようにボックス本体１２と継枠１３との２部材で構成したのは、成形上の点及びボックス本体１２のみ単独使用可能とする汎用化の点に基づく。したがって、前記配線用ボックス１１は２部材でなく一体物として成形したものであっても何ら差し支えない。なお、前記ボックス本体１２及び継枠１３は一般の射出成形等によって形成することができる。
【００４３】
前記ボックス本体１２は側壁１８と底壁１９とを有し、前記側壁１８にはケーブルを挿通するためのノック孔２０が設けられ、また、前記側壁１８の内面４隅における前面開口１５側には図示しない取付ねじを介して前記閉塞板３１を取着するための取付孔２１が設けられており、更に、前記取付孔２１における内部空間２２側には前面開口１５側に向けて突出する係合突起２３がそれぞれ設けられている。前記底壁１９の中央部にはコンクリート打設時に、図１２に示すように、配線用ボックス１１をコンクリート打設用の型枠７１に押付けるための引寄せボルト７２が貫挿される貫挿孔２４が設けられている。
【００４４】
前記継枠１３は矩形枠状に形成され、前述の図示しない嵌合孔及び係合突部の他、左右両縁部にはそれぞれ上下２箇所に枠内空間２５側に向けて僅かに突出し、後述する閉塞板３１の左右両縁部と係合する係合突起２６が突設されている。なお、前記係合突起２６の先端部２６ａの前面側は閉塞板３１の左右両縁部が前方から強制的に押圧されて弾性的に係合するときに円滑に取着せしめるべくＲ状の面取加工が施されている。更に、前記継枠１３の枠体部分における左右内壁には閉塞板３１を仮止めするための仮止め突片が弾性的に挿入されるスリット２８が枠体部分の長さ方向に形成されている。
【００４５】
次に、閉塞板３１は、図５乃至図７に示すように、合成樹脂により矩形状の一定厚さのシートで形成されており、設置したときに前面側となる表面３２及び反対側の裏面３３の両面の対応する同一位置にそれぞれ複数の除去溝３４が縦横の格子状に設けられている。前記除去溝３４は薄肉となっているので、打抜いて後述する方法によって配線器具取付枠５１を取着でき、配線器具２を挿通できる後述の透孔４２を簡単に形成でき、この透孔４２を介して配線器具２を配線用ボックス１１内に収容できるようになっている。前記縦横の除去溝３４によって囲まれた部分は所定高さの四角柱状の突部３５となっている。前記閉塞板３１は、換言すれば、閉塞板３１の厚さ方向の略中央部分に薄肉シートが平面方向に張られ、その薄肉シートの表裏両面に前記四角柱状の突部３５が除去溝３４の幅の間隔をあけて縦横に規則正しく配置されたものとなっている。前記閉塞板３１は縦方向の除去溝３４のピッチと横方向の除去溝３４のピッチとは同一となっており、したがって、これらの除去溝３４によって囲まれた四角柱状の突部３５は正四角柱状となっている。但し、縦横同一ピッチとする必要はなく、縦方向の除去溝３４のピッチと横方向の除去溝３４のピッチとを異ならせ、これらの除去溝３４によって囲まれた四角柱状の突部３５を矩形角柱状としても差し支えない。前記表面３２側に設けられた突部３５の高さと除去溝３４の肉厚と前記裏面３３側に設けられた突部３５の高さを合計すると閉塞板３１全体としてのシートの厚さと等しくなる。
【００４６】
また、前記閉塞板３１の左右両側部には、外方に向けて平面方向に突出する仮止め突片３６が一体に設けられている。前記仮止め突片３６は薄く形成されており、更に、突出基端部３７には手で簡単に折取り可能な薄肉に形成された折取溝３８が設けられている。前記仮止め突片３６の中央部には、閉塞板３１を配線用ボックス１１に仮止めした後、ドライバ等を差込んで前記閉塞板３１を取外すための取外し孔３９が形成されている。前記閉塞板３１の４隅には打抜きによって開穿する挿通孔４０が設けられており、この挿通孔４０に取付ねじを挿通して配線用ボックス１１の取付孔２１に該取付ねじを螺着することにより、前記閉塞板３１を配線用ボックス１１の前面開口１４に取付けできるようになっている。そして、前記４隅の挿通孔４０と隣合う除去溝３４には係止孔４１が設けられている。
【００４７】
ここで、前記表面３２側に設けられた突部３５の高さと前記裏面３３側に設けられた突部３５の高さとは異なっていてもよく、同一であってもよい。表裏両側の突部３５の高さが異なる場合は、配線用ボックス１１に取付けた後の両突部３５の前面開口１４からの突出寸法に差が生ずることになるから、表裏を確認しながら閉塞板３１を取付けることとなる。一方、表裏両側の突部３５の高さを同一とした場合は、表裏両側を全く同一対称に形成すれば、表裏いずれ側であっても配線用ボックス１１の前面開口１４への取付けが可能となるから、前記閉塞板３１の取付けに際し、裏表面を確認する必要がなくなる。
【００４８】
但し、閉塞板３１は樹脂の射出成形におけるゲートの位置、仮止め突片３６の位置、突部３５の高さ等の諸条件によってそりを生ずることがあるから、表裏両突部３５の高さの比率を調整することによってそりをなくし、或いは、そりを小さくできる可能性もある。したがって、前記表裏両突部３５の高さの比率の設定においてはそりなどの変形も考慮して設定するとよい。
【００４９】
次に、前記閉塞板３１の前面に取付けられる配線器具取付枠５１は、図１０及び図１１に示すように、合成樹脂の成形により略矩形枠状に形成されており、配線器具２を取付けるためのものである。前記配線器具取付枠５１は中央部に配線器具２が挿通される開口５２が形成されているとともに前記閉塞板３１と当接する平面部５３と、前記平面部５３の前面側に矩形枠板状に一体に形成されてモルタル材等の埋め戻し材の塗代となる塗代部５４と、前記平面部５３の反対側に一体に形成された取着部５５とが設けられている。
【００５０】
前記配線器具取付枠５１の塗代部５４は高さ方向の上部に段部５６が形成され、その段部５６の先端側は矩形枠に沿って前記閉塞板３１の除去溝３４に嵌合する嵌合突起５７となっている。前記嵌合突起５７は一定厚さに形成され、その外壁面には適宜間隔をおいて平面部５３と直交する方向にリブ５８が設けられている。前記嵌合突起５７のリブ５８は前記閉塞板３１の除去溝３４内に密接して位置ずれを防止するとともに該嵌合突起５７の補強を兼ねている。また、前記塗代部５４の内壁の上部及び下部に上下一対のボス孔５９が形成されており、配線器具２における図示しない挿通孔に挿通された取付ねじを前記ボス孔５９螺着することにより、前記配線器具２を前記配線器具取付枠５１に取着できるようになっている。
【００５１】
一方、前記配線器具取付枠５１の取着部５５は、図１１に示すように、前記平面部５３と直交する方向に前記開口５２に沿って一定厚さの板状枠６０が立設されている。そして、前記板状枠６０の左右両側部即ち開口５２の両縁部の上下には開口５２を挟んで対向する位置に平面部５３に沿って相反する外向きに突出する鈎状の嵌合片６１及び鈎状の嵌合爪６２が一体に設けられている。前記嵌合片６１及び嵌合爪と平面部５３との間隙は前記閉塞板３１のシート厚さより僅かに小さく形成されている。したがって、配線器具取付枠５１を閉塞板３１の透孔４２に取付けたとき、前記嵌合片６１及び嵌合爪６２と平面部５３とが前記閉塞板３１を弾性的に挟持し、配線器具取付枠５１を前記閉塞板３１の一定位置に保持するものとなっている。但し、前記嵌合片６１及び嵌合爪と平面部５３との間隙は前記閉塞板３１のシート厚さと同一であっても僅かに大きいものとしてもよい。前記嵌合爪６２は、更に、先端角部にＲ状等の面取りを施しており、前記配線器具取付枠５１を前方から強制的に押圧することによって前記閉塞板３１に形成される透孔４２に簡単に取着できるようになっている。
【００５２】
次に、上記のように構成された本実施例の配線装置による配線器具の設置方法について図１２乃至図２２に基づいて説明する。
まず、ボックス本体１２と継枠１３とを一体化してなる配線用ボックス１１の上部のノック孔２０を打抜いて電線管７０の端部を取付け、この電線管７０にケーブル１０を挿通した後、図１２に示すように、前記配線用ボックス１１の前面開口１４に型枠７１を当接し、前記配線用ボックス１１の挿通孔２４に引寄せボルト７２を挿通し、ナット７３を締付けることにより、前記配線用ボックス１１を前記型枠７１に強固に取付ける。次に、この状態でコンクリートを打設した後、ナット７３を取外して型枠７１を前記配線用ボックス１１から取外す。すると、図１３に示すように、配線用ボックス１１がコンクリートスラブ内に埋設される。
【００５３】
次に、図１４に示すように、コンクリートスラブの壁面５ａ上にタイル６の目地に合わせて罫書き線７を描く。次いで、図１５及び図１６に示すように、閉塞板３１の左右両側に設けられた仮止め突片３６を前記配線用ボックス１１のスリット２８に弾性的に挿入することによって、前記閉塞板３１を配線用ボックス１１の前面開口１４に仮設する。閉塞板３１を配線用ボックス１１の前面開口１４に仮設したら、図１６及び図１７に示すように、タイル６の目地に合わせて配線器具取付枠５１の塗代部５４の四角枠状の嵌合突起５７を前記閉塞板３１の除去溝３４に嵌合し、閉塞板３１におけるタイル６の目地に合わせた最適位置に前記配線器具取付枠５１の塗代部５４を仮止めする。
【００５４】
その後、前記閉塞板３１の仮止め突片３６の取外し孔３９にドライバー等を差込んで仮止めした閉塞板３１を配線器具取付枠５１とともに一旦取外す。そして、図１８に示すように、前記閉塞板３１を支持台等を使用して下方から支持し、前記閉塞板３１の配線器具取付枠５１の取付けられていない側の面を上方から前記配線器具取付枠５１の開口５２の内部に向けてハンマ等で叩打する。すると、前記閉塞板３１における配線器具取付枠５１の嵌合突起５７が嵌合し、当接している除去溝３４を境として該除去溝３４の薄肉部分が剪断され、閉塞板３１が部分的に打抜かれる。このようにして、１回または繰返して叩打することによって配線器具取付枠５１の嵌合突起５７の形状に対応する矩形状の透孔４２が形成される。
【００５５】
前記閉塞板３１に矩形状の透孔４２が形成されたら、前記配線器具取付枠５１を反転し、前記配線器具取付枠５１の取着部５５側を前記閉塞板３１の透孔４２内に向けて挿入する。このとき、配線器具取付枠３１の取着部５５の嵌合片６１を先に前記閉塞板３１の透孔４２の縁部に平面方向に突当てまで移動させながら嵌合し、次に、前記閉塞板３１に向けて強制的に配線器具取付枠５１を押付ければ、嵌合爪６２は弾性的に閉塞板３１の透孔４２内に押込まれ、前記透孔４２の縁部と嵌合する。ここで、前記嵌合爪６２の先端角部にはＲ状等の面取加工が施されているので、円滑に前記嵌合爪６２を閉塞板３１の透孔４２内に挿入することができる。これにより、配線器具取付枠５１は、前面側から見た図１９及び裏面側から見た図２０に示すように、塗代部５４が前方に位置し、ボス孔５９が前方に臨んだ状態で閉塞板３１の透孔４２に取着される。
【００５６】
次に、閉塞板３１の両側に設けられた仮止め突片３６をその突出基端部３７に形成された薄肉の折取溝３８において手で折り取る。その後、配線器具取付枠５１が取付けられた状態で、閉塞板３１の４隅に設けられた係止孔４１を配線用ボックス１１の取付孔２１の係合突起２３に係止して案内させ、閉塞板３１の左右両縁部を配線用ボックス１１の係合突起２６に強制的に押付けながら、前記閉塞板３１を配線用ボックス１１の前面開口１４に取付ける。次いで、前記閉塞板３１の４隅の挿通孔４０を打抜きつつ図示しない取付ねじを前記配線用ボックス１１の取付孔２１に螺着し、図２１に示すように、前記閉塞板３１を前記配線用ボックス１１に固定する。
【００５７】
このようにして、配線器具取付枠５１がタイル６の目地に合わせた所望の位置に取着された状態で配線用ボックス１１に閉塞板３１及び配線器具取付枠５１を取付けたら、図２２に示すように、前記配線用ボックス１１の内周面と前記閉塞板３１の前面と前記配線器具取付枠５１の外周面との間に形成される充填空間部８にモルタル材等の埋め戻し材９を充填する。最後に、罫書き線７に合わせて壁面５にタイル６を貼付け、前記配線器具取付枠５１のボス孔５９に図示しない取付ねじを取着することによって配線器具２を該配線器具取付枠５１に取付ける。これによって、配線器具２及び配線器具取付枠５１は壁面５におけるタイル６の目地に合わせた所望の位置に設置される。
【００５８】
ここで、前記閉塞板３１に形成される透孔４２の大きさは前記閉塞板３１の除去溝３４のピッチで形成されるが、前記閉塞板３１の透孔４２の内側寸法と前記透孔４２に取着される配線器具取付枠５１の取着部５５の外側寸法との間に最大で前記除去溝３４の半ピッチ分の上下左右方向に移動できる調整代を設けておくことにより、配線器具取付枠５１を閉塞板３１における任意の位置に微調整して取着することができる。即ち、前記配線器具取付枠５１における平面部５３と嵌合片６１及び嵌合爪６２との隙間を閉塞板３１の板厚より小さくし、前記嵌合片６１及び嵌合爪６２による閉塞板３１の挟持力を大きくして配線器具取付枠５１の左右上下方向への移動を阻止して一定位置に弾性的に保持せしめるようにし、前記配線器具取付枠５１を前記調整代の範囲で上下左右方向に自由に移動させつつ閉塞板３１の任意の位置に微調整して取着することができる。その結果、タイル６の目地によりきめ細かく合致する任意の位置に配線器具２を設置することができ、見栄えをより向上させることができる。
【００５９】
このように、本実施例の配線装置は、壁裏に設置される配線用ボックス１１と、前記配線用ボックス１１の前面開口１４を閉塞すべく該配線用ボックス１１に取付けられる閉塞板３１と配線器具取付枠５１とを備え、前記閉塞板３１は、壁面５に設置される配線器具２の位置に対応する所望の範囲を部分的に除去することにより、前記配線用ボックス１１の内部と連通する透孔４２が形成されるとともに、前記透孔４２を介して前記配線器具取付枠５１を取付け、前記配線用ボックス１１の内部に収容された前記配線器具２を固定すべく形成されたものである。
【００６０】
したがって、この配線装置は、配線用ボックス１１がコンクリート埋設後、その前面に取付けられる閉塞板３１の透孔４２を任意の位置に設けることによって配線器具２をタイル６の目地に合わせた所望の位置に取着することができるから、門塀３の出入口４の見栄えをよくすることができる。
【００６１】
そして、従来の実公昭５９−２９０７１号公報に記載された配線装置のような、仮枠本体によってコンクリート内に収容空間を形成した後に配線用ボックスの取付位置を調整するものである場合に配線用ボックスより大きい容積の収容空間内に大量のモルタル材等の埋め戻し材を充填しなければならないのと異なって、配線用ボックス１１をコンクリート内に埋設した後に閉塞板３１の前面のみに埋め戻し材９を充填すればよいから、材料コストを低減することができる。
【００６２】
また、従来は、仮枠本体をコンクリートに埋設して形成される収容空間内で配線用ボックスにケーブルを挿通させる配線作業を行なうのであるから、作業スペースが小さく、作業しにくいものであったのに対し、本願の配線装置は、コンクリート打設用の型枠７１の設置前に配線用ボックス１１にケーブル１０の配線作業を行なうものであるから、従来のような収容空間の制約がなく、作業スペースが広く、配線作業を楽に行なうことができる。
【００６３】
更に、閉塞板３１は除去溝３４と突部３５とによって凹凸面に形成されているので、平面板のみによって形成されているものに比較して全体強度、剛性が高い。加えて、埋め戻し材９を充填空間部８内に充填してそれが硬化すると除去溝３４内の埋め戻し材９が突部３５の変形を阻止する。即ち、閉塞板３１が凹凸面でない単に合成樹脂の平面シートで形成されているにすぎないものであるときは、閉塞板３１の全体的な強度、剛性は小さく弱いため、埋め戻し材９によって充填された表面が前方から押されたり、叩打されるとそり易く、歪んで変形、破損し易い。しかし、本実施例の閉塞板３１は除去溝３４及び突部３５による凹凸面に加え、除去溝３４内に埋め戻し材９が充填し、硬化することによって全体の強度、剛性が一層大きくなるから、そったり、歪んだりするのが防止され、前方即ち壁表側から埋め戻し材９によって充填されたその表面が押されたり、叩打などの衝撃が加わっても折れたり、破損するのが防止される。
【００６４】
ところで、上記実施例の閉塞板３１は、図８に示すように、除去溝３４で囲まれた突部３５が四角柱状に形成されているが、例えば、図２３に示すように、突部３５の側壁を斜面とし、除去溝３４をＶ字状に形成してもよい。それに対応して、配線器具取付枠５１の嵌合突起５７の先端形状は除去溝３４の傾斜角に合わせた山形となる。この場合は、閉塞板３４を叩打したときに一番薄肉となっている除去溝３４の中央部分に衝撃力が集中し、この部分で剪断されることになるので、図８に示す四角柱状に形成された突部３５に比べて透孔４２の外周縁を直線状に打抜くことができる。
【００６５】
また、図２４に示すように、閉塞板３１の突部３５の一側壁を垂直面に、他側壁面を傾斜面とし、配線器具取付枠５１の嵌合突起５７を前記突部３５の壁面形状に合わせて形成することもできる。この場合、前記突部３５のいずれの側壁を傾斜面とするかは、配線器具取付枠５１との関係などから適宜選定すればよい。
【００６６】
更に、上記実施例においては、閉塞板３１の透孔４２はハンマ等を使用して直接閉塞板３１を叩打しているが、例えば、図２５及び図２６に示すように、前記透孔４２と対応する形状の枠状部を有する透孔形成部材７４を除去すべき除去溝３４に対応する位置に載置し、この透孔形成部材７４を叩打して間接的に除去溝３４を剪断してもよい。
【００６７】
そして、上記実施例の閉塞板３１の突部３５は、四角柱状に形成しているが、これに限定されるものではなく、円柱状、楕円柱状等に形成してもよい。
【００６８】
次に、上記実施例の変形例を図２７に基づいて説明する。
図２７において、閉塞板３１は表面３２及び裏面３３の双方において端縁の矩形枠板部４３に除去溝３４の縦横の交点の番地を表示するための表示が刻印されており、横方向に数字の１、２、３、…が表示され、縦方向にアルファベットのＡ、Ｂ、Ｃ、…が表示されている。そして、表面３２側の数字及びアルファベットは裏面３３側の数字及びアルファベットと対応する除去溝３４の交点を示すよう刻印されている。
【００６９】
この変形例の閉塞板３１を使用した場合は、前記閉塞板３１に透孔４２を形成する作業において、前記閉塞板３１に配線器具取付枠５１の嵌合突起５７を除去溝３４に嵌合させた状態で、嵌合突起５７の４隅のいずれか１点について閉塞板３１の表面３２側のいずれの位置に存在するかを確認しておけば、閉塞板３１を反転したときに前記配線器具取付枠５１の嵌合突起５７がその裏面３３のどの位置に取付けられているかを把握することができる。その結果、裏面３３側の上方から形成すべき透孔３４と対応する部分を叩打するときに、範囲外を叩打することによって閉塞板３１において形成すべき透孔４２以外の部分をきず付けたり、破損させたりすることがなく、確実に形成すべき透孔４２と対応する範囲内を叩打し、その部分のみを除去することができる。
【００７０】
更に、上記実施例の別の変形例を図２８及び図２９に基づいて説明する。
図２８及び図２９において、配線器具取付枠５１の嵌合突起５７の４隅には前方に向けて突出する所定長さのピン６３が突設されている。前記ピン６３は前記閉塞板３１の除去溝３４を打破り可能な強度、剛性を有している。
【００７１】
この変形例の配線器具取付枠５１を使用した場合は、閉塞板３１に透孔４２を形成する作業において、前記閉塞板３１に配線器具取付枠５１の嵌合突起５７を除去溝３４に嵌合させながら、配線器具取付枠５１を押付け、或いは、叩打して前記嵌合突起５７の４隅に設けられたピン６３でその部分における除去溝３４を打破り、前記ピン６３が除去溝３４を貫通して裏面３３側に突出するので、前述の閉塞板３４に番地を刻印した変形例と同様に、閉塞板３１を反転したときに、閉塞板３４の裏面側から前記配線器具取付枠５１の嵌合突起５７がどの位置に取付けられているかを把握することができる。その結果、裏面３３側の上方から形成すべき透孔３４と対応する部分を叩打するときに、確実に形成すべき透孔４２と対応する範囲内を叩打し、その部分のみを除去することができる。
【００７２】
次に、本発明の別の実施例の配線装置を説明する。
前述の実施例においては、配線用ボックス１１の前面開口１４に取着した閉塞板３１に配線器具取付枠５１を取付けた配線器具を設置する配線装置について説明したが、この実施例では、前記配線用ボックス１１の前面開口１４に取着した閉塞板３１の所望とされる任意の位置からケーブルを引出す配線装置について説明する。
【００７３】
図３０は壁裏から配線用ボックス１１内に挿通されたケーブル１０が閉塞板３１における所望の位置から壁表に引出された状態を示しており、充填空間部８にモルタルなどの埋め戻し材が充填される前の状態を示している。ここで、閉塞板３１の所望の位置とは壁面５において最適とされる位置に取付けられるインターホン等の配線器具に対応して外配線器具に接続されるケーブル１０が貫通する、前記閉塞板３１において設けられるべき引出孔４４の位置をいう。なお、図３１は前記引出孔４４が設けられた閉塞板３１を示す。
【００７４】
図３０及び図３１において、配線用ボックス１１は前述の実施例と同様に壁裏に設置されており、上部側壁において打抜かれたノック孔２０には壁裏のケーブル１０が挿通される電線管７０が取付けられている。また、前記配線用ボックス１１の前面開口１４に取着された閉塞板３１は前述の実施例の閉塞板３１と同様のものであり、表面３２及び裏面３３には縦横格子状の除去溝３４とそれによって囲まれた四角柱状の突部３５とが形成されている。そして、前記閉塞板３１の前記ケーブル１０の引出位置に対応する所望の範囲が除去されてなる引出孔４４が設けられている。前記閉塞板３１の引出孔４４にはケーブル１０が該引出孔４４の開口縁部によってきず付かないよう保護するための、ゴム、合成樹脂等からなるブッシング４５が嵌合されている。前記ブッシング４５は正方形状をなし、図示しないが、外周部には外周に沿って嵌合溝が設けられて前記引出孔４４の開口縁部に嵌合するようになっており、また、中央部には前記ケーブル１０が挿通する挿通孔が設けられている。
【００７５】
上記のように構成された本実施例の配線用ボックス１１及び閉塞板３１を使用して壁裏のケーブル１０を壁表の所望とされる最適位置から前記壁表に引出すには、前述の実施例と同様に配線用ボックス１１を壁裏に設置した後、コンクリートスラブの壁面５ａにタイル６の目地の罫書き線７を描き、前記配線用ボックス１１の前面開口１４に前記閉塞板３１を仮止めする。前記閉塞板３１の仮止めは前記閉塞板３１の仮止め突片３６を前記配線用ボックス１１の前面開口１４におけるスリット２８に弾性的に嵌合させて行なうことができる。そして、前記閉塞板３１を仮止めしたら、前記タイル６の目地に合致する位置に対応して前記閉塞板３１の表面３２上に除去すべき範囲を決定する。その後、一旦、前記閉塞板３１を取外し、表面３２上においてカッターナイフ等を使用して前記決定された範囲における除去溝３４を切断して除去し、ケーブル１０の引出孔４４を形成する。なお、図３０及び図３１においては、縦横それぞれ３個分の突部３５に相当する部分が除去されている。次に、閉塞板３１の仮止め突片３６を折取溝３８において折取る。次いで、前記引出孔４４にブッシング４５を嵌合し、前記ブッシング４５にケーブル１０を挿通して壁表に引出すとともに、前記閉塞板３１の外縁部を強制的に押圧して配線用ボックス１１の係合突起２６に係合させ、前記閉塞板３１の挿通孔４０に図示しない取付ねじを挿通して該閉塞板３１を前記配線用ボックス１１に正式に取付ける。これにより、ケーブル１０の引出し作業が完了する。
【００７６】
次に、ケーブル１０の引出し作業が完了したら、配線用ボックス１１の前面の充填空間部８に埋め戻し材９を充填し、更に、壁表に引出されたケーブル１０の先端にインターホン等の配線器具２を接続する。
【００７７】
この実施例においても、前述の実施例と同様に、配線用ボックス１１をコンクリート内に埋設した後に閉塞板３１の前面のみに埋め戻し材９を充填すればよく、材料コストを低減することができる。また、コンクリート打設用の型枠設置前に配線用ボックス１１にケーブル１０の配線作業を行なうものであるから、作業スペースが広く、配線作業を楽に行なうことができる。
【００７８】
次に、本発明の更に別の実施例の配線装置を説明する。
この実施例においては、前述の実施例とは配線用ボックス１１が同一で、閉塞板及び配線器具取付枠が異なる。
図３２及び図３３において、閉塞板７５は合成樹脂シートからなり、表裏両面が平面に形成されている。また、配線器具取付枠５１はその塗代部５４が矩形枠板状に形成されており、その先端外縁６４には直線状に角部を面取りした面取部６５が全周に至って形成されている。
【００７９】
この実施例において配線器具２を設置するには、図示は省略するが、まず、前述の閉塞板３４を使用した実施例と同様にして、配線用ボックス１１をコンクリートに埋設した後、タイル６の目地に合わせてコンクリートスラブの壁面５にタイル６の目地に合わせて罫書き線７を描く。次に、閉塞板７６を配線用ボックス１１の前面開口１４に仮止めし、この状態でタイル６の目地に合わせて配線器具取付枠５１の塗代部５４の先端面を前記閉塞板７６に当接する。次いで、図３３に示すように、前記配線器具取付枠５１の塗代部５４の先端外縁６４を定規として該塗代部５４の外周に沿ってカッターナイフ７６で切断する。これによって、閉塞板７５に略矩形状の透孔４２が形成される。
【００８０】
次に、前記配線器具取付枠５１を反転し、前記配線器具取付枠５１の取着部５５側を前記閉塞板７５の透孔４２内に向けて挿入し、前記閉塞板７５に向けて強制的に配線器具取付枠５１を押付ければ、嵌合爪６２は弾性的に閉塞板３１の透孔４２内に押込まれ、前記透孔４２の縁部と嵌合する。これにより、配線器具取付枠５１は塗代部５４が前方に位置し、ボス孔５９が前方に臨んだ状態で閉塞板７５の透孔４２に取着される。
【００８１】
この後、閉塞板７５の左右両縁部を配線用ボックス１１の係合突起２６に強制的に押付けながら、前記閉塞板７５を配線用ボックス１１の前面開口１４に取付け、前記閉塞板７５の４隅の挿通孔４０に取付ねじを挿通し、前記取付ねじを前記配線用ボックス１１の取付孔２１に螺着して前記閉塞板３１を前記配線用ボックス１１に固定する。次いで、前記配線用ボックス１１の内周面と前記閉塞板７５の前面と前記配線器具取付枠５１の外周面との間に形成される充填空間部８にモルタル材等の埋め戻し材９を充填し、罫書き線７に合わせて壁面５にタイル６を貼付けた後、前記配線器具取付枠５１のボス孔５９に取付ねじを取着することによって配線器具２を該配線器具取付枠５１に取付ける。これにより、配線器具２は壁面５におけるタイル６の目地に合わせた所望の位置に設置される。
【００８２】
この実施例の場合には、配線器具取付枠５１の塗代部５４等の形状に合わせ、閉塞板７５に形成されるべき透孔４２が矩形状でなく、４隅部が大きなＲ状の曲線となっていたり、透孔４２全体が小判形状となっているなど切断線が直線でなく曲線である場合に、特に有益である。
【００８３】
ここで、前記配線器具取付枠５１は塗代部５４の先端外縁６４に面取部６５を形成しているが、配線器具取付枠５１のカッターナイフ７６できず付けずに閉塞板７５を切断できれば、前記面取部６５は不要とすることもできる。
【００８４】
また、この実施例では、配線器具取付枠５１の先端外縁６４に沿ってカッターナイフ７６で切断することによって透孔４２を形成しているが、前記配線器具取付枠５１の先端外縁６４に沿って、図３４に示すように、罫書き線７７を入れた後、前記配線器具取付枠５１を取外し、別途外周が透孔４２の形状に合致した専用のゲージ、治工具等を使用し、或いは、汎用の定規等を使用して閉塞板７５をカッターナイフ７６で切断し、透孔４２を形成できることも言うまでもない。
【００８５】
なお、この実施例においては、前述の除去溝３４において透孔４２に対応する部分を叩打するものと異なり、カッターナイフ７６等を使用して切断することによって透孔４２を形成するものであるから、閉塞板７５としてはカッターナイフ等で切断でき、配線器具取付枠５１を取着でき、かつ、埋め戻し材の埋め込み圧に耐えられる強度、剛性を有するものであれば、任意の材質を選定でき、例えば、セラミックシート、ダンボール等の厚紙などを採用し得る。
【００８６】
また、上記各実施例の閉塞板３１及び閉塞板７５に形成される透孔４２は、壁面５に貼られるタイル６の目地に合わせた位置に形成されるが、他の好ましい位置、例えば、タイル６が貼られない壁面において、他の物品との干渉をさけるために、或いは、配線器具の操作性向上のためなどの点から所望する最適位置に前記配線器具を設置する場合にも同様に適用される。要するところ、本発明の配線装置は配線用ボックスをコンクリートに埋設した後に配線器具或いは配線器具取付枠を所望する位置に設置する場合に広く適用することができる。
【００８７】
【発明の効果】
以上のように、本発明は、壁裏に設置される配線用ボックスの前面開口を閉塞する閉塞板が、壁面に設置される配線器具の位置またはケーブルの引出し位置に対応する所望の範囲を部分的に除去することにより、前記配線用ボックスの内部と連通する透孔が形成されるとともに、前記透孔を介して前記配線用ボックスの内部に収容された前記配線器具を固定すべく形成されており、配線用ボックスがコンクリートに埋設された後、その前面に取付けられる閉塞板の透孔を任意の位置に設けることによって配線器具を所望の位置に取着可能とするものである。したがって、配線用ボックスをコンクリート内に埋設した後に閉塞板の前面のみに埋め戻し材を充填すればよいから、材料コストを低減することができる。また、コンクリート打設用の型枠設置前に配線用ボックスにケーブルの配線作業を行なうものであるから、作業スペースが広く、配線作業を楽に行なうことができる。
【図面の簡単な説明】
【図１】本発明の配線装置が壁面に設置された状態を示す正面図である。
【図２】図１の壁面に設置された配線器具を示す斜視図である。
【図３】図１の配線装置の分解斜視図である。
【図４】図３の配線用ボックスの分解斜視図である。
【図５】図３の閉塞板を表面から見た斜視図である。
【図６】図３の閉塞板の正面図である。
【図７】図３の閉塞板の背面図である。
【図８】図６のＡ−Ａ切断線による断面図である。
【図９】図３の閉塞板の部分拡大斜視図である。
【図１０】図３の配線器具取付枠の斜視図である。
【図１１】図１０の配線器具取付枠を裏側から見た斜視図である。
【図１２】本発明の配線装置による配線器具設置作業での型枠取付後の状態を示す一部破断側面図である。
【図１３】本発明の配線装置による配線器具設置作業でのコンクリート埋設後の状態を示す断面図である。
【図１４】本発明の配線装置による配線器具設置作業でのコンクリート埋設後の配線用ボックスを示す斜視図である。
【図１５】図１４の配線用ボックスの前面開口に閉塞板を仮止めする状態を示す斜視図である。
【図１６】図１５の仮止めした閉塞板に配線器具取付枠を取付ける状態を示す斜視図である。
【図１７】図１５の仮止めした閉塞板に配線器具取付枠を仮設した状態を示す斜視図である。
【図１８】図１７で配線器具取付枠を仮設した閉塞板における所望の範囲を除去して透孔を形成する状態を示す斜視図である。
【図１９】図１８で透孔が形成された閉塞板に配線器具取付枠を取付けた状態を示す斜視図である。
【図２０】図１９の閉塞板及び配線器具取付枠を裏側から見た斜視図である。
【図２１】図１８で配線器具取付枠が取付けられた閉塞板を配線用ボックスの前面開口に取着した状態を示す斜視図である。
【図２２】配線器具取付枠及び閉塞板が取着された後の配線用ボックスの前面に形成された充填空間部に埋め戻し材が充填された状態を示す斜視図である。
【図２３】図３の閉塞板の変形例を示す要部断面図である。
【図２４】図３の閉塞板の別の変形例を示す要部断面図である。
【図２５】図３の閉塞板における所望の範囲を除去する透孔形成部材を示す側面図である。
【図２６】図２５の透孔形成部材を示す斜視図である。
【図２７】図３の別の閉塞板を示す正面図である。
【図２８】図３の別の配線器具取付枠を示す斜視図である。
【図２９】図２８の配線器具取付枠を示す側面図である。
【図３０】本発明の別の実施例の配線装置を示す斜視図である。
【図３１】図３０の閉塞板を示す斜視図である。
【図３２】本発明の更に別の実施例における配線器具取付枠を示す斜視図である。
【図３３】図３２の配線器具取付枠を使用して閉塞板に透孔を形成する状態を示す要部断面図である。
【図３４】本発明の更に別の実施例において罫書き線を描いた閉塞板を示す斜視図である。
【図３５】従来の配線装置の断面図である。
【図３６】図３５の配線装置の正面図である。
【符号の説明】
１        配線装置
２        配線器具
５、５ａ    壁面
６        タイル
７、７７    罫書き線
８        充填空間部
９        埋め戻し材
１０    ケーブル
１１    配線用ボックス
１２    ボックス本体
１３    継枠
１４    前面開口
３１、７５  閉塞板
３２    表面
３３    裏面
３４    除去溝
３５    突部
４２    透孔
４４    引出孔
５１    配線器具取付枠
５４    塗代部
５５    取着部
５７    嵌合突起
６１    嵌合片
６２    嵌合爪
７４    透孔形成部材
【図１】
2005045893.tif 000003
【図２】
2005045893.tif 000004
【図３】
2005045893.tif 000005
【図４】
2005045893.tif 000006
【図５】
2005045893.tif 000007
【図６】
2005045893.tif 000008
【図７】
2005045893.tif 000009
【図８】
2005045893.tif 000010
【図９】
2005045893.tif 000011
【図１０】
2005045893.tif 000012
【図１１】
2005045893.tif 000013
【図１２】
2005045893.tif 000014
【図１３】
2005045893.tif 000015
【図１４】
2005045893.tif 000016
【図１５】
2005045893.tif 000017
【図１６】
2005045893.tif 000018
【図１７】
2005045893.tif 000019
【図１８】
2005045893.tif 000020
【図１９】
2005045893.tif 000021
【図２０】
2005045893.tif 000022
【図２１】
2005045893.tif 000023
【図２２】
2005045893.tif 000024
【図２３】
2005045893.tif 000025
【図２４】
2005045893.tif 000026
【図２５】
2005045893.tif 000027
【図２６】
2005045893.tif 000028
【図２７】
2005045893.tif 000029
【図２８】
2005045893.tif 000030
【図２９】
2005045893.tif 000031
【図３０】
2005045893.tif 000032
【図３１】
2005045893.tif 000033
【図３２】
2005045893.tif 000034
【図３３】
2005045893.tif 000035
【図３４】
2005045893.tif 000036
【図３５】
2005045893.tif 000037
【図３６】
2005045893.tif 000038